(57)【特許請求の範囲】
【請求項１】
建築物に配設される縦排水主管が、階床スラブに貫通装着された管継手を介して接続された排水管装置において、
前記管継手が階床スラブに貫通状に固着された外管の内側に貫通装着されており、
前記外管が、既設管継手を前記階床スラブの上下面近傍で切断して残された直管部分である
ことを特徴とする排水管装置。
【請求項２】
排水管の既設装置の更生方法であって、
階床スラブに固着されている既設管継手を、前記階床スラブの上下面近傍で切断してその上部及び下部と既設縦排水主管を撤去し、
前記既設管継手の切断して残された直管部分を外管とし、
該外管に更新管継手を貫通装着し、更新管継手に更新縦排水主管を接続する
ことを特徴とする排水管装置の更生方法。
【発明の詳細な説明】
【０００１】
【発明の属する技術分野】
本発明は、住戸屋内または屋外等の建築物に配設される排水管装置及びその更生方法に関する。
【０００２】
【従来の技術】
従来、この種の排水管装置としては、図９、図１０に示すものがある。
この排水管装置は、中・低層階建築物例えば中・低層階住宅、オフイスビル等において採用されているもので、縦排水主管４１が各階床スラブ４０を貫いて固着された管継手４２を介して接続されている。
中・低層階住宅では、前記管継手４２がＴ型、ト型で、階床スラブ４０の貫通部分が直管状であり、その内面には羽根等の旋回流を生起させるものはない。そして、管継手４２には流し台等からの排水管４３が接続されている。また、この管継手４２の上側受口には排水集合管４４を介して縦排水主管４１が接続されており、該集合管４４にサニタリーベント４５を介して便器４６等が接続されている。なお、集合管４４は通常のＴ型管であり、床４７を貫通している。
【０００３】
また、前記管継手４２は、図１０に示しているように、階床スラブ４０に設けた貫通孔４８に挿通され、この貫通孔４８と階床スラブ４０との間に埋戻したモルタル４９により固着されている。
【０００４】
【発明が解決しようとする課題】
ところで、上記従来技術では、配管した既設の排水管装置が老朽化した場合におけるその更新に際しては、既設排水管装置を全て撤去している。しかし、各階床スラブ４０に管継手４２を固着したモルタル４９を、ハツリ作業により除去しないと管継手４２を取り除くことができず、この撤去作業は、振動及び騒音が大きく、かつ熟練を要する上、長期間を要するなどの問題があった。
本発明は、上述のような実情に鑑みてなされたもので、その目的とするところは、更生に際し、既設管継手を固着しているモルタルのハツリ作業をなくすると共に振動及び騒音をなくし、さほどの熟練を要せず、しかも大幅な工期短縮をはかることができコスト低下の可能な排水管装置及びその更生方法を提供することにある。
【０００５】
【課題を解決するための手段】
本発明では、上記目的を達成するために、次の技術的手段を講じている。
即ち、本発明は、中、低層階住宅、オフィスビル等の建築物の屋内又は屋外に配設される縦排水主管が、階床スラブに貫通装着された管継手を介して接続される排水管装置において、前記管継手が階床スラブに貫通状に固着された外管の内側に貫通装着されており、前記外管が、既設管継手を前記階床スラブの上下面近傍で切断して残された直管部分であることを特徴としている。
【０００６】
この構成であれば、既設排水管装置が老朽化により更生の必要が生じた場合、管継手と縦排水主管又は縦排水主管及び集合管等との接続を分離し、外管から古い既設管継手を取り外した後、該外管内に更新の管継手を装着して、更新管継手に更新縦排水主管等を接続すればよい。
従って、前記外管を最初に階床スラブに固着しておけば、更生に際して、階床スラブのハツリ作業による外管除去が不要となり、振動及び騒音を無くし、しかもさほど熟練を要することなく、短期間で更生でき、大幅にコスト低下を図ることが可能である。
【０００７】
また、本発明のかかる構成によれば、既設排水管装置において、既設管継手が外管を介して階床スラブに装着されていない場合でも、既設排水管装置の更生に際して、既設管継手を外管として利用でき、階床スラブのハツリ作業を無くすことができる。
前記排水管装置は、前記管継手が、耐蝕性材料例えばステンレス鋼、合成樹脂等からなる。
かかる構成によれば、前記管継手の耐久性の向上を図ることができ、該管継手の少なくとも外管に挿通される部分の肉厚を薄くできると共に、管継手の内径が小さくなるのを減少して、排水流下面積の低減を防止できる。なお、合成樹脂を管継手に採用するときは、これの外周を耐火物で被覆する必要がある。
【０００８】
本発明に係る排水管装置の更生方法は、排水管の既設装置の更生方法であって、階床スラブに固着されている既設管継手を、前記階床スラブの上下面近傍で切断してその上部及び下部と既設縦排水主管を撤去し、前記既設管継手の切断して残された直管部分を外管とし、該外管に更新管継手を貫通装着し、更新管継手に更新縦排水主管を接続することを特徴としている。
従って、排水管装置の更生に際して、階床スラブのハツリ作業による既設管継手の除去が不要となり、振動及び騒音を無くし、しかもさほど熟練を要することなく、短期間で更生でき、大幅にコスト低下を図ることが可能である。
【０００９】
なお、前記更新管継手は、耐蝕性材料例えばステンレス鋼、合成樹脂等により構成するのが好ましい。これにより、前記管継手の耐久性の向上を図ることができ、該管継手の少なくとも外管に挿通される部分の肉厚を薄くできると共に、管継手の内径が小さくなるのを減少して、排水流下面積の低減を防止できる。なお、合成樹脂を管継手に採用するときは、これの外周を耐火物で被覆する必要がある。
【００１０】
【発明の実施の形態】
以下、本発明の実施の形態を図面に基づいて説明する。
図１乃至図３は、本発明に係る屋内の排水管装置の第一の実施形態を示している。
図１に示すように、本発明に係る屋内の排水管装置は、屋内に配設される縦排水主管１と、中・低層建築物の階床スラブ２に貫通状に設けた通孔３に挿通されかつモルタル４により埋め戻し固着された外管５と、該外管５の内側に挿通装着された管継手６と、この管継手６の上端受口７に接続された排水集合管８とにより、構成されている。
【００１１】
この排水管装置において、前記外管５は直管からなり、その長さが階床スラブ２の厚さよりも若干長くされ、図２に示すように、垂直状にモルタル４により固着される。この外管５は、当然のことながら、配管に先立って固着される。
前記管継手６は、直管状で上端に膨径部からなる前記受口７が形成され、下端が直管の差口９とされ、前記受口７内にはゴム輪１０（シール部材）が装着されている。なお、外管５に装着される管継手は、前記直管ワンタッチジョイント型のほか、Ｔ型、ト型管継手を採用できる。
【００１２】
前記排水集合管８は、下部のみしか図示していないが、図９に示す従来のものを採用することができる。
なお、前記縦排水主管１は、その受口開口端部外周にフランジ１ａを備えたフランジ継手構造で、押し輪１１、パッキン１２等により前記管継手６の差口９に外嵌接続されるようになっている。
上記第一実施形態において、配管に際して、前もって階床スラブ２に固着された外管５に、管継手６を上から挿入し、下階の縦排水主管１を立ち上げる。この時、管継手６を若干引き上げて図３に２点鎖線で示す位置に保持しておく。次いで、縦排水主管１を図３に２点鎖線で示すように、その受口を管継手６の差口９直下に位置させた後、前記管継手６を降ろしてその差口９を縦排水主管１の受口に挿入し、押し輪１１を図外のボルト・ナットにより縦排水主管１の受口フランジ１ａに締付けることで、縦排水主管１と管継手６の接続ができる。
【００１３】
そして、管継手６の受口７に排水集合管８の下端差口８ａを挿入することで、管継手６と排水集合管８をワンタッチで接続できる。
第一実施形態によれば、外管５の内径を管継手６の直管部外径よりも若干大きくしておけば、管継手６を簡単に挿入装着でき、作業性がよくなる。そして、排水管装置が老朽化して更生の必要性が生じたとき、初期工事の縦排水主管１、排水集合管８を管継手６から取り外した後、管継手６を外管５から上方へ抜き出すことができ、モルタル４のハツリ作業は全く不要であり、更新の縦排水主管、管継手、排水集合管等を即座に配管することができ、短期間で工事を行うことが可能である。しかも、外管５は、初期工事で心出しされているので、更生に際して心出し作業が不要であり、熟練を要せず、振動や騒音のない安全な更生作業ができ、大幅にコスト低下を図ることができる。
【００１４】
なお、上記実施形態において、縦排水主管１、外管５、管継手６、排水集合管８等の配管材料の材質は限定されるものではないが、配管材料としては耐蝕性のあるものが好ましい。
なお、第一実施形態の外管５は、既設排水管装置の老朽化による更生に際して、既設管継手６１（図２に２点鎖線で示す）をその階床スラブ２の上下面近傍で切断して残った直管部分を充当することができ、かかる手段を採用したのが、本発明に係る既設排水管装置の更生方法である。
【００１５】
即ち、本発明に係る排水管装置の更生方法の実施形態は、排水管の既設装置を更生するに際して、階床スラブ２に固着されている既設管継手６１（図２に２点鎖線で示す）を、前記階床スラブ２の上下面近傍（図１０に１点鎖線Ｃで示す部分参照）で切断してその上部及び下部と既設縦排水主管を撤去し、前記既設管継手の切断して残された直管部分を外管５とし、該外管５に更新管継手６を貫通装着し、更新管継手６に更新縦排水主管１を接続するものである。
本発明の上記更生方法の実施形態によれば、モルタル４のハツリ作業は全く不要であり、既に心出しされている既設管継手６１の直管部分即ち外管５に更新管継手を挿入し、これに更新の縦排水主管、排水集合管等を即座に配管することができ、短期間で工事を行うことが可能である。しかも、外管５は、前述のように、初期工事で心出しされているので、更生に際して心出し作業が不要であり、熟練を要せず、振動や騒音のない安全な更生作業ができ、大幅にコスト低下を図ることができる。
【００１６】
なお、この更生方法の実施形態においては、更新管継手６の外径が既設管継手６１の内径よりも若干小さくなるため、排水流下断面積が少し小さくなるが、管継手６にステンレス鋼などの耐蝕性の大なる材料を採用することで、更新管継手６の直管部分の肉厚を薄くし、排水流下断面積の減少割合を小さくすることができる。また、更新管継手６の材料は、ステンレス鋼以外の例えば合成樹脂等の耐蝕性材料を採用することができる。
図４は、前記管継手６の他の受口構造を示し，受口７にはラッパ状に広がるテーパ部７ａを設け、シール部材１３には前記テーパ部７ａ内面に当接する膨径部１４を設けておき、周方向の１ヵ所に縮径用締付部１５を有するリング状の締付バンド１６で、前記テーパ部７ａ外周まわりを締め付けるようになっている。
【００１７】
このような受口構造を採用することで，受口７外周まわりの締付状態を均一にしてシール性を高めることができる。
図７は、管継手６と縦排水管１の接続構造の他の例を示し、縦排水管１が上端に受口のないストレート管で、管継手６の差口９と縦排水管１の上端とがシール材１７を介して突き合わされ、図５，図６に示すＣ形リングからなる径方向に拡縮自在なバンド状継手１８により締付固定されている。
このバンド状継手１８は、ゴム製の円筒状シール材１９を、Ｃ形とした割りプレート２０で囲み、この割りプレート２０の両端からほぼ径外方向に突設された締付フランジ２１に、ボルト２２を挿通して、このボルト２２を締付・弛緩することにより、前記割りプレート２０を径方向に拡大或いは縮小自在に構成してある。従って、前記継手１８を予め縦排水主管１の上端部に図７に２点鎖線で示す位置に外嵌しておき、前記管継手６と縦排水主管１の上端を突き合わせた後、前記バンド状継手１８を上方へ押し上げて、図７に実線で示している位置においてボルト２２により締付固定することで、容易にかつ確実に接続することができる。  図８は、本発明に係る排水管装置の第二実施形態を示し、第一実施形態と異なる主要点は、管継手６が上下二分割されて上部管継手６ａと下部管継手６ｂとからなり、かつ両管継手６ａ，６ｂが外管５内でシール部材２３を介して突き合わせ接続されているところである。
【００１８】
前記上部管継手６ａは、その上端部がメカニカルジョイント形式の受口構造とされ、下半部が直管状で外管５への差口とされている。即ち、上部管継手６ａの受口２４端外周部は膨径されると共に外向きフランジ２４ａが形成され、該受口２４の開口端にパッキン受部２４ｂが形成されており、排水集合管８の下端差口８ａが挿入される。なお、排水集合管８の下部には、予めパッキン２５、カラー２６、ロックリング２７、押し輪２８が、順次外嵌されており、前記押し輪２８が前記フランジ２４ａにボルト２９・ナット３０を用いて締付連結されることで、上部管継手６ａと排水集合管８とが連結されるようになっている。
【００１９】
また、前記下部管継手６ｂは、上半部が直管状で外管５への差口とされ、下部に受口３１が形成され、該受口３１の内部にシール材受部３２及びパッキン受部３３が設けられており、前記受口３１端部外周には、おねじ部３４が設けられている。
そして、縦排水主管１の上端は、直管状の差口とされ、袋ナット３５が回動可能に外嵌されている。
上記第二実施形態において、縦排水主管１の差口を下部管継手６ｂに挿入接続する際、まず、下部管継手６ｂのシール材受部３２にシールリング３６を挿入し、縦排水主管１の上端に前記袋ナット３５の上側に位置させてパッキン３７を外嵌しておき、前記縦排水主管１を下部管継手６ｂの受口３１に挿入し、縦排水主管１の上端をシールリング３６に押し当てた状態で、前記袋ナット３５をおねじ部３４に螺合させて締め付けることにより、縦排水主管１と下部管継手６ｂの接続作業が完了する。
【００２０】
なお、第二実施形態において、上部管継手６ａの受口構造は、第一実施形態のワンタッチジョイント形式、図４に示すジョイント形式、図７に示すバンド継手形式とすることができ、さらに、上部管継手６ａは図１０に示したＴ形或いはト形管継手を採用することができる。また、下部管継手６ｂは、下端部が直管状の差口となるいわゆるストレート管を使用し、縦排水主管１の上端受口構造として、図１、図４、図７に示すような受口構造のほか、ワンタッチジョイント形式を採用することができる。
【００２１】
本発明に係る排水管装置の第二実施形態は、既設排水管装置の更生方法に採用できる。即ち、既設の管継手をその階床スラブ２の上下近傍で切断し、残った直管部分を外管５として再利用することで、排水管装置を更生できる。
本発明は、上記各実施形態に限定されるものではなく、例えば、管継手６，６ａ，６ｂ外の構成材料として耐蝕性材料例えばステンレス鋼、合成樹脂、さらには鋳鉄管等を採用できる。
【００２２】
【発明の効果】
本発明に係る排水管装置は、以上のように、縦排水主管が、階床スラブに貫通装着された管継手を介して接続される排水管装置において、前記管継手が階床スラブに貫通状に固着された外管の内側に貫通装着されている構成であるから、既設排水管装置が老朽化により更生の必要が生じた場合、管継手と縦排水主管又は縦排水主管及び集合管等との接続を分離し、外管から古い既設管継手を取り外した後、該外管内に更新の管継手を装着して、更新管継手に更新縦排水主管等を接続すればよい。
【００２３】
従って、前記外管を最初に階床スラブに固着しておけば、更生に際して、階床スラブのハツリ作業による既設管継手の除去が不要となり、振動及び騒音を無くし、しかもさほど熟練を要することなく、短期間で更生でき、大幅にコスト低下を図ることが可能である。
また、本発明に係る排水管装置は、前記外管を、既設管継手の階床スラブの上下面近傍で切断して残された直管部分で構成してもよい。従って、既設管継手が外管を介して階床スラブに装着されていない場合でも、既設排水管装置の更生に際して、既設管継手を外管として利用でき、階床スラブのハツリ作業を無くすことができる。
【００２４】
さらに、本発明に係る排水管装置の更生方法は、排水管の既設装置の更生方法であって、残された直管部分を外管とし、該外管に更新管継手を貫通装着し、更新管継手に更新縦排水主管を接続するものであるから、階床スラブのハツリ作業による既設管継手の除去が不要となり、振動及び騒音を無くし、しかもさほど熟練を要することなく、短期間で更生でき、大幅にコスト低下を図ることが可能である。
【図面の簡単な説明】
【図１】  本発明に係る排水管装置の第一の実施形態を示す縦断正面図である。
【図２】  同実施形態における外管の階床スラブへの固着状態を示す縦断面図である。
【図３】  同実施形態における管継手の外管への装着状態を示す縦断面図である。
【図４】  同実施形態における管継手の受口構造の他の例を示す縦断面図である。
【図５】  バンド状継手の一部破断正面図である。
【図６】  図５の上面図である。
【図７】  同第一実施形態における縦排水主管と管継手の他の接続構造例を示す縦断面図である。
【図８】  本発明に係る排水管装置の第二実施形態を示す縦断面図である。
【図９】  従来の排水管装置例を示す正面図である。
【図１０】  同従来例の要部拡大断面図である。
【符号の説明】
１    縦排水主管
２    階床スラブ
４    モルタル
５    外管
６    管継手
６ａ  上部管継手
６ｂ  下部管継手
【図１】
0004371508.tif 000002
【図２】
0004371508.tif 000003
【図３】
0004371508.tif 000004
【図４】
0004371508.tif 000005
【図５】
0004371508.tif 000006
【図６】
0004371508.tif 000007
【図７】
0004371508.tif 000008
【図８】
0004371508.tif 000009
【図９】
0004371508.tif 000010
【図１０】
0004371508.tif 000011